(57)【要約】【課題】利用者が取り忘れた媒体を情報取得部を通さずに収納できるようにする。【解決手段】小切手処理機１に、バンドル部１０及び分離部１１から第１の搬送路Ｒ１と第３の搬送路Ｒ３とを通りＣＩＳ部２０が設けられた第２の搬送路Ｒ２は通らずリトラクト部１５へと通じる搬送経路を設け、この搬送経路で、取り忘れ小切手Ｃをリトラクト部１５に搬送して収納するようにした。こうすることで、利用者が取り忘れた小切手ＣをＣＩＳ部２０を通さずに収納できる。【選択図】図５
2018195035.tif 000002
【特許請求の範囲】
【請求項１】
紙葉状の媒体が投入又は排出される入出部と、
前記入出部と接続され、前記媒体を搬送する第１の搬送路と、
前記第１の搬送路と接続され、前記媒体を搬送する第２の搬送路と、
前記第２の搬送路と接続され、前記媒体を一時的に保留する一時保留部と、
前記第１の搬送路と前記第２の搬送路との接続箇所に接続される第３の搬送路と、
前記第１の搬送路と前記第２の搬送路と前記第３の搬送路との接続箇所に設けられた、前記媒体の搬送経路を切り替える切替部と、
前記第３の搬送路と接続され、利用者が取り忘れた前記媒体を収納する取り忘れ媒体収納部と、
前記媒体の搬送を制御する制御部と
を備え、
前記第２の搬送路には、前記媒体から前記媒体に関する情報を取得する情報取得部が設けられ、
前記制御部は、
前記入出部から排出させた前記媒体を利用者が取り忘れたとき、前記切替部を制御して、利用者が取り忘れた前記媒体を前記第１の搬送路と前記第３の搬送路を通り前記第２の搬送路は通らない搬送経路で前記取り忘れ媒体収納部に搬送して収納する
ことを特徴とする媒体処理装置。
【請求項２】
前記制御部は、
利用者が取り忘れた前記媒体を前記第１の搬送路と前記第３の搬送路を通り前記第２の搬送路は通らない搬送経路で前記取り忘れ媒体収納部に搬送して収納するパターンと、利用者が取り忘れた前記媒体を、前記第１の搬送路と前記第２の搬送路を通る搬送経路で前記一時保留部に搬送して一時保留させた後、前記第２の搬送路と前記第３の搬送路を通る搬送経路で前記取り忘れ媒体収納部に搬送して収納するパターンの２パターンのどちらかを選択し、選択したパターンに応じた搬送経路で、利用者が取り忘れた前記媒体を前記取り忘れ媒体収納部に搬送して収納する
ことを特徴とする請求項１に記載の媒体処理装置。
【請求項３】
前記制御部は、
前記２パターンのうち、予め指定されたパターンを選択する
ことを特徴とする請求項２に記載の媒体処理装置。
【請求項４】
前記制御部は、
前記入出部に排出した前記媒体に、取引可能な媒体以外の媒体が含まれている場合に、利用者が取り忘れた前記媒体を前記第１の搬送路と前記第３の搬送路を通り前記第２の搬送路は通らない搬送経路で前記取り忘れ媒体収納部に搬送して収納するパターンを選択する
ことを特徴とする請求項２に記載の媒体処理装置。
【請求項５】
前記制御部は、
前記媒体を前記入出部に排出する前に前記情報取得部により当該媒体から得られた情報をもとに、前記入出部に排出した前記媒体に、取引可能な媒体以外の媒体が含まれているかどうかを判別する
ことを特徴とする請求項４に記載の媒体処理装置。
【請求項６】
前記情報取得部は、
前記媒体の画像を取得する画像取得部である
ことを特徴とする請求項１〜５のいずれかに記載の媒体処理装置。
【請求項７】
前記第３の搬送路と接続され、取引可能な媒体を収納する媒体収納部をさらに備え、
前記制御部は、
前記取り忘れ媒体収納部が満杯の場合、利用者が取り忘れた前記媒体を、前記第１の搬送路と前記第２の搬送路を通る搬送経路で前記一時保留部に搬送して一時保留させた後、前記第２の搬送路と前記第３の搬送路を通る搬送経路で前記媒体収納部に搬送して収納する
ことを特徴とする請求項１〜６のいずれかに記載の媒体処理装置。
【請求項８】
前記第３の搬送路は、前記取り忘れ媒体収納部へ続く搬送経路と、前記媒体収納部へと続く搬送経路との分岐箇所に、搬送経路を切り替える切替部が設けられ、
前記制御部は、
前記第３の搬送路に設けられた切替部を制御して、利用者が取り忘れた前記媒体を、前記第３の搬送路を通して前記取り忘れ媒体収納部又は前記媒体収納部に搬送する
ことを特徴とする請求項７に記載の媒体処理装置。
【請求項９】
前記制御部は、
利用者が取り忘れた前記媒体を前記第１の搬送路と前記第２の搬送路を通る搬送経路で前記一時保留部に搬送する際に、前記情報取得部により利用者が取り忘れた前記媒体から情報を取得する
ことを特徴とする請求項１〜８のいずれかに記載の媒体処理装置。
【請求項１０】
前記制御部は、
前記取り忘れ媒体収納部が満杯の場合、利用者が取り忘れた前記媒体を、前記第１の搬送路と前記第２の搬送路を通る搬送経路で前記一時保留部に搬送して一時保留させた後、前記第２の搬送路と前記第３の搬送路を通る搬送経路で前記媒体収納部に搬送して収納するパターンと、利用者が取り忘れた前記媒体を、前記第１の搬送路と前記第２の搬送路を通る搬送経路で前記一時保留部に搬送して前記一時保留部に収納するパターンと、利用者が取り忘れた前記媒体を、前記入出部の内部に取り込んで収納するパターンの３パターンのいずれかを選択し、選択したパターンに応じた搬送経路で、利用者が取り忘れた媒体を前記媒体収納部、前記一時保留部、前記入出部のいずれかに搬送して収納する
ことを特徴とする請求項７〜９のいずれかに記載の媒体処理装置。
【請求項１１】
前記第２の搬送路には、前記媒体に印字する印字部が設けられ、
前記制御部は、
利用者が取り忘れた前記媒体を、前記第１の搬送路と前記第２の搬送路を通る搬送経路で前記一時保留部に搬送して一時保留させた後、前記第２の搬送路と前記第３の搬送路を通る搬送経路で搬送する際に、前記印字部により、利用者が取り忘れた前記媒体に取り忘れた旨を示す情報を印字する
ことを特徴とする請求項２〜１０のいずれかに記載の媒体処理装置。
【請求項１２】
紙葉状の媒体が投入又は排出される入出部と、
前記入出部と接続され、前記媒体を搬送する第１の搬送路と、
前記第１の搬送路と接続され、前記媒体を搬送する第２の搬送路と、
前記第２の搬送路と接続され、前記媒体を一時的に保留する一時保留部と、
前記第１の搬送路の途中に設けられ、前記媒体の搬送経路を切り替える切替部と、
前記第１の搬送路の途中に、前記切替部を介して接続され、利用者が取り忘れた前記媒体を収納する取り忘れ媒体収納部と、
前記媒体の搬送を制御する制御部と
を備え、
前記第２の搬送路には、前記媒体から前記媒体に関する情報を取得する情報取得部が設けられ、
前記制御部は、
前記入出部から排出させた前記媒体を利用者が取り忘れたとき、前記切替部を制御して、利用者が取り忘れた前記媒体を、前記第１の搬送路の途中で分岐して前記取り忘れ媒体収納部へと搬送する、前記第２の搬送路は通らない搬送経路で、前記取り忘れ媒体収納部に搬送して収納する
ことを特徴とする媒体処理装置。
【発明の詳細な説明】
【技術分野】
【０００１】
本発明は媒体処理装置に関し、例えば小切手や有価証券の入金機に適用して好適なものである。
【背景技術】
【０００２】
従来、小切手の入金機として、金融機関等で使用される小切手受付装置がある。この小切手受付装置は、例えば、小切手を束で投入できるようになっていて、顧客により受渡口に投入された小切手の束を装置内部に引き込んで１枚ずつ分離し、小切手の幅寄せ機能を有するアライナ部により小切手を幅寄せ基準面側に幅寄せした後、小切手を搬送しながら、小切手に印字されている磁気文字情報をＭＩＣＲ（Magnetic Ink Character Recognition）部で読み取り、小切手の画像を画像取得部により取得する。その後、小切手受付装置は、この小切手を一時保留部に搬送して一時保留するとともに、小切手を一時保留している間に、操作表示部に取引内容の確認画面を表示して顧客に取引内容の確認を促す。
【０００３】
ここで、確認画面を介して顧客により取引内容を承認する操作が行われると、小切手受付装置は、一時保留部に一時保留している小切手を一時保留部から繰り出し、この小切手に対してスタンプ押印、裏書印刷などの処理を行った後、収納部へと搬送して収納する。
【０００４】
一方で、確認画面を介して顧客により取引内容をキャンセルする操作が行われると、小切手受付装置は、一時保留している小切手を一時保留部から繰り出し、受渡口へと搬送して顧客に返却する。ここで、所定時間内に受渡口から小切手が抜き取られなかった場合、小切手受付装置は、次の取引を開始できるようにする為、この小切手を、装置内部に引き込み、リトラクト部に搬送して収納するようになっている（例えば特許文献１参照）。
【先行技術文献】
【特許文献】
【０００５】
【特許文献１】特開２００３−１４１３６７号公報
【発明の概要】
【発明が解決しようとする課題】
【０００６】
従来の小切手受付装置では、利用者が取り忘れた小切手を内部に取り込んでリトラクト部に収納する際、利用者が取り忘れた小切手が必ず画像取得部を通過する構成となっている。また一方で、利用者が取り忘れた小切手の束に、例えば小切手以外の媒体が混在する場合があり、このような媒体については、本来、小切手受付装置に投入される媒体ではない為、画像取得部やＭＩＣＲ部などの小切手から情報を取得する情報取得部を極力通さないようにすることが望ましい。
【０００７】
しかしながら、従来の小切手受付装置では、利用者が取り忘れた小切手が必ず情報取得部を通過する構成の為、利用者が取り忘れた小切手の束に混在する異常な媒体についても、必ず情報取得部を通過させてしまうために、情報取得部に傷がついたり汚れたりするなどの不具合が生じることがあるという問題を有していた。
【０００８】
本発明は以上の点を考慮してなされたもので、利用者が取り忘れた媒体を情報取得部を通さずに収納できる媒体処理装置を提案しようとするものである。
【課題を解決するための手段】
【０００９】
かかる課題を解決するため本発明は、紙葉状の媒体が投入又は排出される入出部と、前記入出部と接続され、前記媒体を搬送する第１の搬送路と、前記第１の搬送路と接続され、前記媒体を搬送する第２の搬送路と、前記第２の搬送路と接続され、前記媒体を一時的に保留する一時保留部と、前記第１の搬送路と前記第２の搬送路との接続箇所に接続される第３の搬送路と、前記第１の搬送路と前記第２の搬送路と前記第３の搬送路との接続箇所に設けられた、前記媒体の搬送経路を切り替える切替部と、前記第３の搬送路と接続され、利用者が取り忘れた前記媒体を収納する取り忘れ媒体収納部と、前記媒体の搬送を制御する制御部とを備え、前記第２の搬送路には、前記媒体から前記媒体に関する情報を取得する情報取得部が設けられ、前記制御部は、前記入出部から排出させた前記媒体を利用者が取り忘れたとき、前記切替部を制御して、利用者が取り忘れた媒体を前記第１の搬送路と前記第３の搬送路を通り前記第２の搬送路は通らない搬送経路で前記取り忘れ媒体収納部に搬送して収納するようにした。
【００１０】
また、本発明は、紙葉状の媒体が投入又は排出される入出部と、前記入出部と接続され、前記媒体を搬送する第１の搬送路と、前記第１の搬送路と接続され、前記媒体を搬送する第２の搬送路と、前記第２の搬送路と接続され、前記媒体を一時的に保留する一時保留部と、前記第１の搬送路の途中に設けられ、前記媒体の搬送経路を切り替える切替部と、前記第１の搬送路の途中に、前記切替部を介して接続され、利用者が取り忘れた前記媒体を収納する取り忘れ媒体収納部と、前記媒体の搬送を制御する制御部とを備え、前記第２の搬送路には、前記媒体から前記媒体に関する情報を取得する情報取得部が設けられ、前記制御部は、前記入出部から排出させた前記媒体を利用者が取り忘れたとき、前記切替部を制御して、利用者が取り忘れた前記媒体を、前記第１の搬送路の途中で分岐して前記取り忘れ媒体収納部へと搬送する、前記第２の搬送路は通らない搬送経路で、前記取り忘れ媒体収納部に搬送して収納するようにした。
【発明の効果】
【００１１】
本発明によれば、利用者が取り忘れた媒体を情報取得部を通さずに収納できる媒体処理装置を実現できる。
【図面の簡単な説明】
【００１２】
【図１】小切手処理機の構成を示す側面図である。
【図２】小切手を受渡口からエスクロ部へ搬送するときの搬送経路と、エスクロ部からスタッカに搬送するときの搬送経路である。
【図３】小切手をエスクロ部から受渡口へ戻すときの搬送経路である。
【図４】小切手をエスクロ部からリトラクト部へ搬送するときの搬送経路である。
【図５】小切手を受渡口から直接リトラクト部へ搬送するときの搬送経路である。
【図６】小切手をバンドル部の内部に取り込んで貯留するときの搬送経路である。
【図７】他の実施の形態による小切手処理機の構成を示す側面図である。
【発明を実施するための形態】
【００１３】
以下、発明を実施するための形態（以下実施の形態とする）について、図面を用いて説明する。
【００１４】
［１．小切手処理機の構成］
図１に小切手処理機１の模式的な側面図を示す。小切手処理機１は、利用者との間で入金処理等の小切手に関する取引を行う小切手受付装置の受付機筐体（図示せず）内に設けられ、小切手に関する種々の処理を行う。この小切手処理機１は、直方体状に形成された筐体２の内部に、小切手に関する種々の処理を行う複数の処理ユニットが組み込まれた構成となっている。
【００１５】
尚、ここでは、小切手処理機１の筐体２における、利用者が対峙する側（図中右側）を前側とし、その反対側（図中左側）を後側とし、前側に対峙した利用者から見て上下左右をそれぞれ上側、下側、左側及び右側と定義する。
【００１６】
筐体２内部の所定位置には、全体を統括的に制御する制御部３が設けられている。この制御部３は、ＣＰＵを中心に構成され、ＲＯＭやフラッシュメモリ等から所定のプログラムを読み出して実行することにより、入金取引に関する種々の処理を行う。また制御部３は、内部にＲＡＭや、ハードディスク、フラッシュメモリ等でなる記憶部を有しており、この記憶部に各種プログラムや入金取引に関する種々の情報を記憶している。また、制御部３は、筐体２内部に設けられた各センサの監視や、各アクチュエータの駆動、各種判断等を行うと共に、小切手受付装置全体を制御する上位の主制御部との通信を行う。
【００１７】
この筐体２の前側上部には、小切手Ｃを束で受け付けるバンドル部１０が配置されている。このバンドル部１０の後端には、小切手Ｃの束を１枚ずつ分離して繰り出す分離部１１が配置されている。さらに、分離部１１の後方で筐体２の後側上部には、分離部１１から１枚ずつ繰り出されてくる小切手Ｃを搬送しながら幅寄せするアライナ部１２が配置されている。
【００１８】
さらに、アライナ部１２の後方且つ下方には、小切手Ｃの画像読み取り、磁気読み取り、スタンプ押印、裏書印字などの機能を有するスキャナ部１３が配置されている。さらにバンドル部１０の下方には、小切手Ｃを一時保留するエスクロ部１４が配置され、スキャナ部１３の下方には、利用者が取り忘れた小切手Ｃなどを収納するリトラクト部１５が配置されている。さらに、エスクロ部１４及びリトラクト部１５の下方で筐体２内の下部には、小切手Ｃを収納する２個のスタッカ１６、１７が前後方向に並べて配置されている。
【００１９】
これら、バンドル部１０、分離部１１、アライナ部１２、スキャナ部１３、エスクロ部１４、リトラクト部１５、スタッカ１６、１７は、搬送路Ｒによって接続されている。すなわち、搬送路Ｒは、バンドル部１０から分離部１１を介してアライナ部１２へと延び、さらにアライナ部１２の内部を通ってスキャナ部１３へと延びている。さらに、搬送路Ｒは、スキャナ部１３の内部に入ると、アライナ部１２の後方で下方にカーブして下方へと延び、その後、前方に折り返されてスキャナ部１３の前端まで延び、そこから前方のエスクロ部１４まで延びている。
【００２０】
スキャナ部１３は、内部を通る搬送路Ｒの下側の直線部分Ｒ２に、後方から順に、小切手Ｃの表面と裏面の画像を読み取るＣＩＳ（Contact Image Sensor）部２０、小切手Ｃの表面の磁気情報を読み取るＭＩＣＲヘッド２１、小切手Ｃの表面にスタンプを押印するスタンプ２２、小切手Ｃの裏面に印字するプリンタ２３が配置されている。つまり、スキャナ部１３は、小切手Ｃが、直線部分Ｒ２を通る際に、小切手Ｃの画像読み取り、磁気読み取り、スタンプ押印、裏書印字などを行うようになっている。尚、ＣＩＳ部２０は、小切手Ｃの表面側に配置される表面側ＣＩＳ２０Ａと、裏面側に配置される裏面側ＣＩＳ２０Ｂとで構成されている。ここで、アライナ部１２とスキャナ部１３を通る搬送路Ｒのうち、この直線部分Ｒ２以外の部分を第１の搬送路Ｒ１と呼び、この直線部分Ｒ２を第２の搬送路Ｒ２と呼ぶ。
【００２１】
第１の搬送路Ｒ１と第２の搬送路Ｒ２は、全体として横向きのＵ字形状（つまり折り返し形状）となっている。この為、例えば、表面を上側とする向きで第１の搬送路Ｒ１へと送られた小切手Ｃは、第２の搬送路Ｒ２を通過するときには表面が下側となる向きで搬送されることになる。
【００２２】
さらに、搬送路Ｒは、第１の搬送路Ｒ１と第２の搬送路Ｒ２との接続箇所（すなわちスキャナ部１３の内部を通る搬送路Ｒのエスクロ部１４側に折り返されている箇所）に第３の搬送路Ｒ３が接続されている。第３の搬送路Ｒ３は、第１の搬送路Ｒ１と第２の搬送路Ｒ２との接続箇所から下方に分岐して、リトラクト部１５の後側を下方へと延び、スタッカ１６上部の後方で前方にカーブして前方へと延び、スタッカ１６内の上部及びスタッカ１７内の上部を通って筐体２の前面まで延びている。また、この第３の搬送路Ｒ３は、リトラクト部１５の後側を下方へと延びている部分の途中で前方に分岐して、リトラクト部１５へと延びている。
【００２３】
さらに、第１の搬送路Ｒ１と第２の搬送路Ｒ２と第３の搬送路Ｒ３の接続箇所には、小切手Ｃの搬送経路を切り替える為のブレード３０が設けられている。第１の搬送路Ｒ１と第２の搬送路Ｒ２と第３の搬送路Ｒ３の接続箇所には、第１の搬送路Ｒ１と第２の搬送路Ｒ２とを繋ぐ搬送経路、第１の搬送路Ｒ１と第３の搬送路Ｒ３とを繋ぐ搬送経路、第２の搬送路Ｒ２と第３の搬送路Ｒ３とを繋ぐ搬送経路の３つの搬送経路が形成されていて、これら３つの搬送経路をブレード３０によって切り替えることができるようになっている。さらに、第３の搬送路Ｒ３上の分岐箇所には、小切手Ｃの搬送経路を、リトラクト部１５へと搬送する搬送経路又はスタッカ１６、１７へと搬送する搬送経路に切り替える為のブレード３１が設けられている。これらブレード３０、３１による搬送経路の切り替えは、制御部３によって行われる。
【００２４】
また、搬送路Ｒには、小切手Ｃを厚さ方向に挟んで搬送する搬送ローラなどの搬送機構が設けられていて、制御部３は、この搬送機構を制御するとともに、ブレード３０、３１による搬送経路の切り替えを制御することにより、小切手Ｃを各部に搬送するようになっている。尚、小切手Ｃは、例えば、長方形で紙葉状の媒体であり、長手方向を搬送方向として搬送されるようになっている。
【００２５】
さらに、小切手処理機１では、第３の搬送路Ｒ３の前端が筐体２の前面から筐体２の外部に露出するようになっている。さらに、小切手処理機１では、筐体２の例えば側面に設けられたノブやレバーを回すことで、第３の搬送路Ｒ３に沿って設けられた搬送ローラ３２を手動で回転させることができ、これにより、第３の搬送路Ｒ３上に残留する小切手Ｃを、筐体２の前面から外部に排出できるようにもなっている。尚、筐体２の前面に、第３の搬送路Ｒ３の前端を露出及び遮蔽する鍵付きの蓋などを設けてもよい。
【００２６】
小切手処理機１の構成は、以上のようになっている。ここで、このような構成でなる小切手処理機１の入金取引時の動作について説明する。
【００２７】
［２．小切手処理機の動作］
小切手処理機１は、制御部３と、小切手受付装置に設けられた表示部及び操作部（図示せず）とにより、利用者から入金指示を受けたことを認識すると、バンドル部１０の前端に設けられたシャッタ１０Ａを開くことにより、バンドル部１０の前端に設けられた受渡口１０Ｂを開放して小切手Ｃを受け入れる。
【００２８】
バンドル部１０は、受渡口１０Ｂから小切手Ｃの束が挿入されると、内部に設けられた束搬送機構により小切手Ｃの束をそのまま後方の分離部１１へと搬送する。尚、小切手Ｃは、表面にＭＩＣＲと呼ばれる磁気インクを用いた特殊なフォントで磁気文字情報が印字されている。
【００２９】
分離部１１は、小切手Ｃの束の一番上に位置する小切手Ｃから順に１枚ずつ分離して、後方のアライナ部１２へ送り出す。アライナ部１２は、分離部１１から受け取った小切手Ｃを第１の搬送路Ｒ１に沿って搬送しながら、小切手Ｃを第１の搬送路Ｒ１の幅方向の一端側に設けられた幅寄せ基準面ガイド（図示せず）に突き当てるように幅寄せして、スキャナ部１３に引き渡す。
【００３０】
尚、小切手処理機１では、アライナ部１２に設けられた重送検知センサ１２Ａにより、分離部１１からアライナ部１２へと送り出された小切手Ｃの重送をチェックするようになっていて、重送している場合には、小切手Ｃを分離部１１に戻して、再度、小切手Ｃの分離を試みるようになっている。また、小切手処理機１は、このような処理（これを分離リトライ処理と呼ぶ）を予め設定された回数だけ繰り返しても、小切手Ｃの重送が解消されない場合には、この小切手Ｃを、受渡口１０Ｂまで戻して利用者に返却するようになっている。
【００３１】
このように、アライナ部１２では、重送していない正常な小切手Ｃのみを幅寄せしてスキャナ部１３へ搬送するようになっている。スキャナ部１３は、幅寄せ基準面ガイドに突き当てられた状態の小切手Ｃを第１の搬送路Ｒ１に沿って搬送する。このとき、図２（Ａ）に示すように、第１の搬送路Ｒ１と第２の搬送路Ｒ２と第３の搬送路Ｒ３の接続箇所では、ブレード３０により第１の搬送路Ｒ１と第２の搬送路Ｒ２とを繋ぐ搬送経路に切り替えられている。ゆえに小切手Ｃは、第１の搬送路Ｒ１から第２の搬送路Ｒ２へと搬送される。
【００３２】
スキャナ部１３は、小切手Ｃを第２の搬送路Ｒ２に沿って前方に搬送しながら、ＣＩＳ部２０により小切手Ｃの両面の画像を撮像して、ＭＩＣＲヘッド２１により小切手Ｃから磁気文字情報を読み取る。その後、スキャナ部１３からエスクロ部１４へと小切手Ｃが引き渡され、エスクロ部１４が、スキャナ部１３から受け取った小切手Ｃを内部に一時的に保留する。ここまでの処理を読取処理と呼ぶ。
【００３３】
制御部３は、バンドル部１０に投入された全ての小切手Ｃをエスクロ部１４に一時保留すると、小切手Ｃから読み取った画像や磁気文字情報を、小切手受付装置の表示部（図示せず）に表示させ、利用者に取引内容の確認を促す。
【００３４】
ここで、制御部３は、例えば表示部に表示されている確認キー（図示せず）を利用者が押下することにより、利用者が取引内容を承認したと認識すると、小切手Ｃをエスクロ部１４から繰り出してスタッカ１６、１７に収納する収納処理を実行する。一方で、制御部３は、例えば表示部に表示されているキャンセルキー（図示せず）を利用者が押下することにより、利用者が取引内容をキャンセルしたと認識すると、小切手Ｃをエスクロ部１４から繰り出して受渡口１０Ｂまで戻して利用者に返却する返却処理を実行する。
【００３５】
ここで、利用者が取引内容を承認したときに実行する収納処理について詳しく説明する。制御部３は、収納処理を開始すると、図２（Ｂ）に示すように、エスクロ部１４に一時保留されている小切手Ｃを、エスクロ部１４から順に繰り出してスキャナ部１３へと搬送する。スキャナ部１３は、小切手Ｃを第２の搬送路Ｒ２に沿って読取処理時とは逆方向（後方）に搬送しながら、プリンタ２３により小切手Ｃの裏面に取引情報を印字する。このとき、スキャナ部１３は、仕様によっては、スタンプ２２により小切手Ｃの表面にスタンプ押印を行う。
【００３６】
またこのとき、第１の搬送路Ｒ１と第２の搬送路Ｒ２と第３の搬送路Ｒ３の接続箇所では、ブレード３０により、第２の搬送路Ｒ２と第３の搬送路Ｒ３とを繋ぐ搬送経路に切り替えられている。またこのとき、第３の搬送路Ｒ３の分岐箇所では、ブレード３１により、小切手Ｃをスタッカ１６、１７へと搬送する搬送経路に切り替えられている。この為、小切手Ｃは、第２の搬送路Ｒ２から第３の搬送路Ｒ３へと搬送され、第３の搬送路Ｒ３を通ってスタッカ１６又はスタッカ１７へと搬送される。
【００３７】
スタッカ１６内の上部には、第３の搬送路Ｒ３に沿って複数の搬送ローラ３２が設けられ、さらにこの第３の搬送路Ｒ３の下方に、小切手Ｃを集積する集積庫１６Ａが設けられている。さらにスタッカ１６内の上部には、搬送ローラ３２を退避させて、スタッカ１６内の第３の搬送路Ｒ３上に停止させた小切手Ｃを集積庫１６Ａ内に押し込んで集積する退避集積機構１６Ｂが設けられている。同様に、スタッカ１７内にも、複数の搬送ローラ３２、集積庫１７Ａ及び退避集積機構１７Ｂが設けられている。
【００３８】
スタッカ１６、１７の退避集積機構１６Ｂ、１７Ｂは、制御部３により制御されるようになっている。例えば、小切手Ｃをスタッカ１６に収納する場合、制御部３は、小切手Ｃをスタッカ１６内の上部中央まで搬送させた後、搬送ローラ３２を停止させることで、小切手Ｃをスタッカ１６内の上部中央に停止させる。そして、制御部３は、スタッカ１６の退避集積機構１６Ｂにより、スタッカ１６内の搬送ローラ３２の挟持ローラの挟持状態を解除し、図示せぬ押込プレートで小切手Ｃを集積庫１６Ａ内に押し込んで集積する。
【００３９】
また一方で、小切手Ｃをスタッカ１７に収納する場合、制御部３は、小切手Ｃをスタッカ１６内を通過させてスタッカ１７内の上部中央まで搬送させた後、搬送ローラ３２を停止させることで、小切手Ｃをスタッカ１７内の上部中央に停止させる。そして、制御部３は、スタッカ１７の退避集積機構１７Ｂにより、スタッカ１７内の搬送ローラ３２の挟持ローラの挟持状態を解除し、図示せぬ押込プレートで小切手Ｃを集積庫１７Ａ内に押し込んで集積する。制御部３は、エスクロ部１４に一時保留していた全ての小切手Ｃを、スタッカ１６、１７に収納し終えると、収納処理を終了する。
【００４０】
次に、利用者が取引内容を全キャンセルしたときに実行する返却処理について詳しく説明する。制御部３は、返却処理を開始すると、図３に示すように、エスクロ部１４に一時保留されている小切手Ｃを、エスクロ部１４から順に繰り出してスキャナ部１３へと搬送する。スキャナ部１３は、小切手Ｃを第２の搬送路Ｒ２に沿って読取処理時とは逆方向（後方）に搬送する。このとき、スキャナ部１３は、プリンタ２３による印字及びスタンプ２２によるスタンプ押印は行わずに、そのまま小切手Ｃを搬送する。
【００４１】
またこのとき、第１の搬送路Ｒ１と第２の搬送路Ｒ２と第３の搬送路Ｒ３の接続箇所では、ブレード３０により、第１の搬送路Ｒ１と第２の搬送路Ｒ２とを繋ぐ搬送経路に切り替えられている。この為、小切手Ｃは、第２の搬送路Ｒ２から第１の搬送路Ｒ１へと搬送され、第１の搬送路Ｒ１を通ってアライナ部１２へと搬送される。
【００４２】
アライナ部１２は、小切手Ｃを幅寄せせずに、そのまま前方へと搬送して前方の分離部１１へと搬送する。分離部１１は、アライナ部１２から搬送されてくる小切手Ｃを上下方向に集積する。制御部３は、エスクロ部１４に一時保留している全ての小切手Ｃを、分離部１１に集積し終えると、分離部１１に集積された小切手Ｃの束を、バンドル部１０により受渡口１０Ｂまで搬送して利用者に返却する。
【００４３】
すなわち、バンドル部１０は、シャッタ１０Ａを開いて受渡口１０Ｂを開放することにより、小切手Ｃの束を排出可能な状態に遷移した後、内部に設けられた束搬送機構により、分離部１１に集積された小切手Ｃの束を前方（つまり受渡口１０Ｂ側）へと搬送する。そして、バンドル部１０は、束搬送機構により、小切手Ｃの束の前端部が受渡口１０Ｂから外部に露出するまで搬送した後、搬送を停止させる。このとき、制御部３は、バンドル部１０内に設けられた複数のセンサで小切手Ｃの位置を確認して、小切手Ｃの束が受渡口１０Ｂから落下することのないように束搬送機構を制御する。
【００４４】
制御部３は、小切手Ｃの束の前端部を受渡口１０Ｂから外部に露出させた後、小切手受付装置の表示部（図示せず）に、小切手Ｃの束を受け取るよう促すガイダンスを表示させ、利用者に小切手Ｃの束の受け取りを促す。
【００４５】
ここで、制御部３は、バンドル部１０及び分離部１１内に設けられた複数のセンサで、バンドル部１０及び分離部１１内に存在する小切手Ｃを検出し、複数のセンサの検知結果をもとに、バンドル部１０及び分離部１１内に小切手Ｃが存在しないことを確認すると、利用者が小切手Ｃの束を受け取ったと認識して、返却処理を終了する。尚、制御部３は、受渡口１０Ｂ近傍に設けられたセンサの検出結果をもとに、受渡口１０Ｂから露出させている小切手Ｃの束が受け取られたと認識した後も、他のセンサが小切手Ｃを検出している（つまりまだバンドル部１０又は分離部１１内に小切手Ｃが残っている）場合には、再度、小切手Ｃを受渡口１０Ｂまで搬送して露出させる動作を行うようになっている。
【００４６】
また一方で、制御部３は、予め設定された時間内に利用者が小切手Ｃの束を受け取ったと認識できなかった場合（すなわち受渡口１０Ｂに戻した小切手Ｃの束を利用者が取り忘れた場合）、返却処理を終了して、利用者が取り忘れた小切手（これを以下、取り忘れ小切手と呼ぶ）Ｃを、小切手処理機１の内部に取り込んで収納する取込処理を実行する。
【００４７】
小切手処理機１では、取込処理として、スキャナ部１３のＣＩＳ部２０により取り忘れ小切手Ｃの画像を取得してからリトラクト部１５に収納する第１のパターンと、画像を取得せずに（つまりＣＩＳ部２０を通さずに）取り忘れ小切手Ｃをリトラクト部１５に収納する第２のパターンの２つのパターンから選択できるようになっている。尚、取込処理のパターンは、例えば、制御部３が小切手受付装置の表示部（図示せず）に表示させた管理者用の設定画面を操作して管理者が指定できるようになっている。つまり、制御部３は、管理者用の設定画面上で指定されたパターンを選択するようになっている。
【００４８】
ここで、まず第１のパターンの取込処理について説明する。制御部３は、設定された時間内に利用者が小切手Ｃの束を受け取ったと認識できなかった場合、図２（Ａ）に示すように、受渡口１０Ｂから露出させている小切手（すなわち取り忘れ小切手）Ｃを、バンドル部１０の束搬送機構により、バンドル部１０の内部に引き込んで、そのまま後方の分離部１１へと搬送する。分離部１１は、取り忘れ小切手Ｃの束を１枚ずつ分離して、後方のアライナ部１２へ送り出す。アライナ部１２は、分離部１１から受け取った取り忘れ小切手Ｃを第１の搬送路Ｒ１に沿って搬送しながら、取り忘れ小切手Ｃを幅寄せして、スキャナ部１３に引き渡す。
【００４９】
このとき、第１の搬送路Ｒ１と第２の搬送路Ｒ２と第３の搬送路Ｒ３の接続箇所では、ブレード３０により第１の搬送路Ｒ１と第２の搬送路Ｒ２とを繋ぐ搬送経路に切り替えられている。ゆえに取り忘れ小切手Ｃは、第１の搬送路Ｒ１から第２の搬送路Ｒ２へと搬送される。
【００５０】
スキャナ部１３は、小切手Ｃを第２の搬送路Ｒ２に沿って前方に搬送しながら、ＣＩＳ部２０により小切手Ｃの両面の画像を撮像して、ＭＩＣＲヘッド２１により小切手Ｃから磁気文字情報を読み取る。その後、取り忘れ小切手Ｃは、スキャナ部１３からエスクロ部１４へと引き渡され、エスクロ部１４に一時保留される。
【００５１】
制御部３は、全ての取り忘れ小切手Ｃをエスクロ部１４に一時保留すると、図４に示すように、エスクロ部１４に一時保留されている取り忘れ小切手Ｃを、エスクロ部１４から順に繰り出してスキャナ部１３へと搬送する。スキャナ部１３は、小切手Ｃを第２の搬送路Ｒ２に沿って逆方向（後方）に搬送する。このとき、スキャナ部１３は、プリンタ２３による印字及びスタンプ２２によるスタンプ押印は行わずに、そのまま小切手Ｃを搬送する。
【００５２】
またこのとき、第１の搬送路Ｒ１と第２の搬送路Ｒ２と第３の搬送路Ｒ３の接続箇所では、ブレード３０により、第２の搬送路Ｒ２と第３の搬送路Ｒ３とを繋ぐ搬送経路に切り替えられている。またこのとき、第３の搬送路Ｒ３の分岐箇所では、ブレード３１により、小切手Ｃをリトラクト部１５へと搬送する搬送経路に切り替えられている。この為、小切手Ｃは、第２の搬送路Ｒ２から第３の搬送路Ｒ３へと搬送され、第３の搬送路Ｒ３を通ってリトラクト部１５へと搬送され、リトラクト部１５に収納される。以上が、第１のパターンの取込処理である。
【００５３】
すなわち、第１のパターンでは、取り忘れ小切手Ｃを、第１の搬送路Ｒ１と第２の搬送路Ｒ２とを通る搬送経路でエスクロ部１４に搬送して一時保留させた後、第２の搬送路Ｒ２と第３の搬送路Ｒ３を通る搬送経路でリトラクト部１５に搬送して収納するようになっている。
【００５４】
次に、第２のパターンの取込処理について説明する。制御部３は、設定された時間内に利用者が小切手Ｃの束を受け取ったと認識できなかった場合、図５に示すように、受渡口１０Ｂから露出させている小切手（すなわち取り忘れ小切手）Ｃを、バンドル部１０の束搬送機構により、バンドル部１０の内部に引き込んで、そのまま後方の分離部１１へと搬送する。分離部１１は、取り忘れ小切手Ｃの束を１枚ずつ分離して、後方のアライナ部１２へ送り出す。アライナ部１２は、分離部１１から受け取った取り忘れ小切手Ｃを第１の搬送路Ｒ１に沿って搬送しながら、取り忘れ小切手Ｃを幅寄せして、スキャナ部１３に引き渡す。
【００５５】
このとき、第１の搬送路Ｒ１と第２の搬送路Ｒ２と第３の搬送路Ｒ３の接続箇所では、ブレード３０により第１の搬送路Ｒ１と第３の搬送路Ｒ３とを繋ぐ搬送経路に切り替えられている。またこのとき、第３の搬送路Ｒ３の分岐箇所では、ブレード３１により、取り忘れ小切手Ｃをリトラクト部１５へと搬送する搬送経路に切り替えられている。この為、取り忘れ小切手Ｃは、第１の搬送路Ｒ１から第３の搬送路Ｒ３へと搬送され、第３の搬送路Ｒ３を通ってリトラクト部１５へと搬送され、リトラクト部１５に収納される。以上が、第２のパターンの取込処理である。
【００５６】
すなわち、第２のパターンの取込処理では、取り忘れ小切手Ｃを、第１の搬送路Ｒ１と第３の搬送路Ｒ３とを通りＣＩＳ部２０が設けられた第２の搬送路Ｒ２は通らない搬送経路で、リトラクト部１５に搬送して収納するようになっている。
【００５７】
このように、制御部３は、第１のパターン又は第２のパターンのうち、予め指定されたパターンを選択して、選択したパターンに応じた搬送経路で、取り忘れ小切手Ｃをリトラクト部１５に搬送して収納するようになっている。
【００５８】
ここでは、利用者によって取引内容が全キャンセルされ、その後、受渡口１０Ｂへと戻された小切手Ｃを利用者が受け取らなかった場合に、制御部３が、上述した第１のパターンと第２のパターンのどちらかを選択して取込処理を実行するようにした。これに限らず、例えば、分離部１１で分離リトライ処理を繰り返しても小切手Ｃの重送が解消されない為に、受渡口１０Ｂへと戻された小切手Ｃを利用者が受け取らなかった場合も、同様に、制御部３が、上述した第１のパターンと第２のパターンのどちらかを選択して取込処理を実行するようにしてもよい。また、読取処理後の利用者による確認の際に、エスクロ部１４に収納された複数の小切手Ｃの内の一部に対して、個別キャンセルが選択された場合は、対象小切手Ｃの処理内容に応じ、収納処理と返却処理が逐次切り替えて実行されるが、その場合の返却時の取り忘れ小切手Ｃについても同様の取込処理を行うことが可能である。
【００５９】
尚、重送が解消されなかった小切手Ｃを、受渡口１０Ｂへ戻してから取り込む場合、再び重送が検出される可能性が高い。よって、再び小切手Ｃの重送が検出された場合には、この小切手（つまり取り忘れ小切手）Ｃを例えばバンドル部１０まで戻してバンドル部１０内に貯留させるようにしてもよい。この場合、小切手処理機１では、以降、メンテナンスを行うまで取引を行うことができなくなる。また一方で、重送が解消されなかった小切手Ｃを受渡口１０Ｂへ戻してから取り込む場合には、再び重送が検出されても無視して、第２のパターンの取込処理によりリトラクト部１５に搬送して収納するようにしてもよい。この場合、小切手処理機１では、以降も、取引を継続することができる。また、取引内容がキャンセルされた場合や重送が解消されなかった場合の他にも、小切手Ｃを受渡口１０Ｂに戻す場合があれば、そのとき、制御部３が、上述した第１のパターンと第２のパターンのどちらかを選択して、取り忘れ小切手Ｃの取込処理を実行するようにしてもよい。また、ここでは重送が検出された場合について説明したが、小切手Ｃの束受付時に金属検知して小切手Ｃを返却した場合や再受付時に金属を検知した場合は、小切手処理機１内部に小切手Ｃを取り込まない方がよいと考えられるため、小切手Ｃをバンドル部１０内に貯留するようにしてもよい。
【００６０】
［３．まとめと効果］
ここまで説明したように、本実施の形態の小切手処理機１では、受渡口１０Ｂへと戻した小切手Ｃを利用者が受け取らなかった場合に、この小切手（すなわち取り忘れ小切手）Ｃを、ＣＩＳ部２０を通して画像を取得してからリトラクト部１５に収納する第１のパターンと、ＣＩＳ部２０を通さずにリトラクト部１５に収納する第２のパターンとを選択して、取込処理を実行できるようにした。
【００６１】
第１のパターンの場合、取り忘れ小切手Ｃの画像を取得したうえでリトラクト部１５に収納できるので、例えば取引時間と画像とを対応付けて制御部３に記憶するようにすれば、何時、どのような小切手を利用者が取り忘れて、小切手処理機１が取り込んだのかを容易に把握することができる。また、例えば、小切手Ｃの束を受渡口１０Ｂに戻して露出させた際に、この小切手Ｃの束に小切手Ｃ以外の媒体（すなわち取引可能な媒体である小切手Ｃ以外の媒体）が差し込まれてしまうことがあり、この場合、取り忘れ小切手Ｃの束に小切手Ｃ以外の媒体が混在することになるが、第１のパターンでは、小切手Ｃ及び小切手Ｃ以外の媒体の画像を取得したうえで収納する為、何時、どのような媒体を小切手処理機１が取り込んだのかについても容易に把握することができる。
【００６２】
これに対して、第２のパターンの場合、取り忘れ小切手ＣをＣＩＳ部２０を通さずに直接リトラクト部１５に収納できるので、第１のパターンと比べて取込処理に要する時間を短縮することができ、次の利用者の待ち時間を少なくすることができる。また、例えば、取り忘れ小切手Ｃの束に小切手Ｃ以外の媒体が混在する場合、小切手Ｃ以外の媒体を、ＣＩＳ部２０を通さずにリトラクト部１５に収納できる。
【００６３】
ＣＩＳ部２０は、小切手Ｃ以外の媒体については想定していない為、小切手Ｃ以外の媒体を通すと、例えば媒体の厚さ、素材などによっては媒体と対向する面などにキズが付く場合があり、また媒体の汚れ具合によっては媒体と対向する面などが汚れる場合がある。このように、ＣＩＳ部２０がキズ付いたり汚れたりすると、以降、小切手Ｃの画像を正常に撮像できなくなる可能性が出てくる。この為、小切手Ｃ以外の媒体については、極力、ＣＩＳ部２０を通さないようにすることが望ましい。
【００６４】
このような理由から、第２のパターンの取込処理では、小切手Ｃ以外の媒体が混在する可能性のある取り忘れ小切手Ｃの束については、ＣＩＳ部２０を通さずに直接リトラクト部１５に収納するようにした。こうすることで、第２のパターンの取込処理では、第１のパターンと比べてＣＩＳ部２０の不具合を減らすことができ、結果として、小切手処理機１のメンテナンス頻度を減らすことができる。
【００６５】
また、この第２のパターンの取込処理では、取り忘れ小切手Ｃを、ＣＩＳ部２０だけでなく、ＭＩＣＲヘッド２１も通さずにリトラクト部１５に収納できる。ＭＩＣＲヘッド２１もＣＩＳ部２０と同様、小切手Ｃ以外の媒体については想定していない為、極力、小切手Ｃ以外の媒体を通さないようにすることが望ましい。
【００６６】
また、小切手処理機１では、第１のパターンの取込処理と第２のパターンの取込処理を選択できるようにしたことにより、例えば、小切手Ｃ以外の媒体が投入される可能性が低い地域では第１のパターンを選択し、小切手Ｃ以外の媒体が投入される可能性が高い地域では第２のパターンを選択するようなこともできる。
【００６７】
さらに、小切手処理機１では、第３の搬送路Ｒ３がスタッカ１６、１７の内部を通って筐体２の前面まで延び、第３の搬送路Ｒ３の前端を筐体２の前面から露出させるようにした。そして、筐体２の側面に設けられたノブやレバーを回すことで、第３の搬送路Ｒ３に沿って設けられた搬送ローラ３２を手動で回転させ、第３の搬送路Ｒ３上に残留する小切手を、筐体２の前面から外部に排出できるようにした。これにより、例えば、ジャム（紙詰まり）発生時などのメンテナンスを行う際に、第３の搬送路Ｒ３上に残留する小切手Ｃを容易に除去することができる。
【００６８】
［４．他の実施の形態］
［４−１．他の実施の形態１］
尚、上述した実施の形態では、取り忘れ小切手Ｃを、取込処理によりリトラクト部１５に収納するようにしたが、リトラクト部１５が満杯（フル）で、取り忘れ小切手Ｃをリトラクト部１５に収納できない場合もある。この場合に、取り忘れ小切手Ｃを、受渡口１０Ｂから露出させたまま放置することは望ましくない。
【００６９】
そこで、リトラクト部１５が満杯の場合には、制御部３が、取り忘れ小切手Ｃをリトラクト部１５以外の箇所に収納する取込処理を実行することで、取り忘れ小切手Ｃが受渡口１０Ｂから露出させたまま放置してしまう状況を回避する。具体的に、小切手処理機１では、リトラクト部１５が満杯のときの取込処理として、取り忘れ小切手Ｃをスタッカ１６、１７に収納する第３のパターンと、取り忘れ小切手Ｃをエスクロ部１４に収納する第４のパターンと、取り忘れ小切手Ｃをバンドル部１０内に収納する第５のパターンの３つのパターンから選択できるようにする。尚、ここでは、取り忘れ小切手Ｃをリトラクト部１５に収納するときのパターン（上述した第１のパターン及び第２のパターン）と区別する為に、リトラクト部１５以外の箇所に収納するときのパターンを第３のパターン乃至第５のパターンとした。また、これら第３乃至第５のパターンも、例えば、制御部３が小切手受付装置の表示部（図示せず）に表示させた管理者用の設定画面を操作して管理者が指定できるようになっている。
【００７０】
尚、リトラクト部１５が満杯かどうかの判断については、例えば、図１に示すように、リトラクト部１５が満杯かどうかを検出する為の検出部（例えばセンサ）４０をリトラクト部１５に設けて、この検出部４０の検出結果から制御部３が判断するようにすればよい。またこれに限らず、制御部３が、リトラクト部１５に搬送した小切手Ｃの枚数をカウントして、この枚数が、リトラクト部１５に収納可能な最大枚数に達したかどうかで判断するようにしてもよい。
【００７１】
ここで、リトラクト部１５が満杯のときの取込処理の各パターンについて簡単に説明する。取り忘れ小切手Ｃをスタッカ１６、１７に収納する第３のパターンの場合、制御部３は、取り忘れ小切手Ｃを、図２（Ａ）に示すように、バンドル部１０、分離部１１、アライナ部１２を介して、スキャナ部１３へと搬送する。ここで、制御部３は、取り忘れ小切手Ｃを、第１の搬送路Ｒ１から第２の搬送路Ｒ２に搬送してＣＩＳ部２０により取り忘れ小切手Ｃの画像を取得したうえで、エスクロ部１４に一時保留する。その後、制御部３は、図２（Ｂ）に示すように、エスクロ部１４に一時保留されている取り忘れ小切手Ｃを、第２の搬送路Ｒ２から第３の搬送路Ｒ３に搬送し、ブレード３１を制御して、スタッカ１６又はスタッカ１７に収納する。
【００７２】
この場合、スタッカ１６、１７には、入金された小切手Ｃと取り忘れ小切手Ｃが混在することになる。そこで、制御部３は、スタッカ１６、１７に収納されている小切手Ｃの何枚目が取り忘れ小切手Ｃであるのかを示す情報と、この取り忘れ小切手Ｃの画像（もしくは取引情報が印字されているかどうかの情報）とを対応付けて記憶することで、スタッカ１６、１７に収納されている小切手Ｃのうちのどの小切手が取り忘れ小切手Ｃであるのかを容易に判別できるようにする。また、これに限らず、例えば、エスクロ部１４から繰り出した取り忘れ小切手Ｃに、スキャナ部１３のプリンタ２３による印字を行ったうえで、スタッカ１６、１７へ搬送して収納するようにしてもよい。この場合、取り忘れ小切手Ｃには、取引情報ではなく、例えば、利用者が取り忘れたことを示す取り忘れ情報を印字するようにする。このようにすれば、スタッカ１６、１７に収納されている小切手Ｃのうちのどの小切手Ｃが取り忘れ小切手Ｃであるのか容易に判別できる。また、この第３のパターンでは、取り忘れ小切手Ｃを、スタッカ１６、１７に収納する為、以降も、取引を継続することができる。また、通常は取り忘れ小切手Ｃに対して印字処理がなされないため、印字されているかどうかで取り忘れ小切手Ｃと処理済み小切手Ｃを見分けることもできる。
【００７３】
尚、この第３のパターンでは、取り忘れ小切手Ｃを、第１の搬送路Ｒ１から第２の搬送路Ｒ２へ搬送して、ＣＩＳ部２０で画像を取得したうえで、スタッカ１６、１７に収納するようにしたが、これに限らず、取り忘れ小切手Ｃを、第１の搬送路Ｒ１から第３の搬送路Ｒ３へ搬送して、ＣＩＳ部２０を通さずに直接スタッカ１６、１７に収納するようにしてもよい。
【００７４】
取り忘れ小切手Ｃをエスクロ部１４に収納する第４のパターンの場合、図２（Ａ）に示すように、制御部３は、取り忘れ小切手Ｃを、バンドル部１０、分離部１１、アライナ部１２を介して、スキャナ部１３へと搬送する。ここで、制御部３は、取り忘れ小切手Ｃを、第１の搬送路Ｒ１から第２の搬送路Ｒ２に搬送してエスクロ部１４に一時保留する。この第４のパターンでは、取り忘れ小切手Ｃを、エスクロ部１４に収納する為、以降、メンテナンスを行うまで取引を行うことができなくなる。
【００７５】
取り忘れ小切手Ｃをバンドル部１０内に収納する第５のパターンの場合、図６に示すように、制御部３は、取り忘れ小切手Ｃを、バンドル部１０の内部まで引き込み、バンドル部１０の内部に貯留する。この第５のパターンでは、取り忘れ小切手Ｃをバンドル部１０内に収納する為、以降、メンテナンスを行うまで取引を行うことができなくなる。
【００７６】
［４−２．他の実施の形態２］
また、上述した実施の形態では、重送が解消されない為に受渡口１０Ｂへ戻された小切手Ｃ、及び利用者が取引をキャンセルしたことにより受渡口１０Ｂへ戻された小切手Ｃを、利用者が受け取らなかった場合に、この小切手Ｃを取り忘れ小切手Ｃとして、上述した第１のパターン又は第２のパターンの取込処理により、小切手処理機１内に取り込んで収納するようにした。ところで、小切手処理機１では、例えば、利用者によって受渡口１０Ｂに投入された小切手Ｃの束に最初から小切手Ｃ以外の媒体が混在していた場合、制御部３が、スキャナ部１３での画像読み取りや磁気読み取りの結果により小切手Ｃ以外の媒体を判別して、小切手Ｃ以外の媒体を、投入された他の小切手Ｃとともに受渡口１０Ｂへ戻すことができるようにもなっている。この場合も、受渡口１０Ｂに戻した小切手Ｃ及び小切手Ｃ以外の媒体を、利用者が受け取らなかった場合に、これらを上述した第１のパターン又は第２のパターンの取込処理により、小切手処理機１内に取り込んで収納するようにする。
【００７７】
また、利用者によって受渡口１０Ｂに投入された小切手Ｃの束に最初から小切手Ｃ以外の媒体が混在していた場合、制御部３は、これらを受渡口１０Ｂに戻した時点で、小切手Ｃの束に小切手Ｃ以外の媒体が混在していることを認識している為、このとき、小切手Ｃ以外の媒体がＣＩＳ部２０を通ることのないように自動的に第２のパターンの取込処理を選択して実行するようにしてもよい。
【００７８】
［４−３．他の実施の形態３］
さらに、上述した実施の形態では、第１のパターンの取込処理を実行した際に、取り忘れ小切手Ｃをエスクロ部１４に一時保留した後、取り忘れ小切手Ｃをエスクロ部１４からスキャナ部１３へと繰り出し、スキャナ部１３による印字及びスタンプ押印は行わずに、リトラクト部１５へ搬送して収納するようにした。これに限らず、エスクロ部１４からスキャナ部１３へと繰り出した取り忘れ小切手Ｃに、スキャナ部１３のプリンタ２３による印字を行ったうえで、リトラクト部１５へ搬送して収納するようにしてもよい。この場合、取り忘れ小切手Ｃには、例えば、取引情報ではなく、利用者が取り忘れたことを示す取り忘れ情報を印字するようにすればよい。
【００７９】
［４−４．他の実施の形態４］
さらに、上述した実施の形態では、バンドル部１０、分離部１１、アライナ部１２、スキャナ部１３、エスクロ部１４、リトラクト部１５、スタッカ１６、１７、及び搬送路Ｒを、図１に示すレイアウトで配置したが、これに限らず、取り忘れ小切手Ｃを小切手処理機１の内部に取り込んで収納する際に、取り忘れ小切手ＣをＣＩＳ部２０を通さずにリトラクト部１５へと搬送可能な搬送経路を有するレイアウトであれば、各部を図１とは異なるレイアウトで配置するようにしてもよい。例えば、スタッカ１６、１７の数を変えてもよい。また、例えば、スタッカ１６、１７のうちの１つを、リトラクト部１５として利用するなどしてもよい。
【００８０】
さらに、例えば図７に示す小切手処理機５０のように、アライナ部１２とスキャナ部１３との上下方向の間隔を広げ、アライナ部１２とスキャナ部１３との間に、リトラクト部１５を配置するようにしてもよい。この場合、第１の搬送路Ｒ１の途中（アライナ部１２から第２の搬送路Ｒ２までの部分）に、リトラクト部１５へと分岐する分岐箇所を設けるとともに、この分岐箇所に小切手Ｃの搬送経路を切り替える為のブレード５１を設けるようにする。つまり、第１の搬送路Ｒ１の途中の分岐箇所にブレード５１を介してリトラクト部１５を接続するようにする。この分岐箇所には、第１の搬送路Ｒ１の途中で分岐せずに直進する搬送経路、アライナ部１２側から搬送されてくる小切手Ｃをリトラクト部１５へと搬送する搬送経路、スキャナ部１３側から搬送されてくる小切手Ｃをリトラクト部１５へと搬送する搬送経路の３つの搬送経路が形成されていて、これら３つの搬送経路をブレード５１によって切り替えることができるようになっている。このブレード５１による搬送経路の切り替えも、制御部３によって行われる。
【００８１】
この小切手処理機５０の場合、ブレード５１によって搬送経路を切り替えることで、取り忘れ小切手Ｃを、第１の搬送路Ｒ１の途中で分岐せずに直進して第２の搬送路Ｒ２を通る搬送経路でエスクロ部１４に搬送して一時保留させた後、第２の搬送路Ｒ２から第１の搬送路Ｒ１に入り第１の搬送路Ｒ１の途中で分岐してリトラクト部１５へと続く搬送経路でリトラクト部１５に搬送して収納することができる。また、この小切手処理機５０の場合、ブレード５１によって搬送経路を切り替えることで、取り忘れ小切手Ｃを、第１の搬送路Ｒ１の途中で分岐してリトラクト部１５へと続く搬送経路（すなわち第２の搬送路Ｒ２は通らない搬送経路）でリトラクト部１５に搬送して収納することもできる。つまり、図７に示すレイアウトの小切手処理機５０でも、図１に示すレイアウトの小切手処理機１で実行される第１及び第２のパターンの取込処理と同様の取込処理を選択して実行することができる。また、小切手処理機５０では、リトラクト部１５が満杯の場合、上述した第３乃至第５のパターンの取込処理と同様の取込処理を選択して実行することもできる。
【００８２】
さらに、バンドル部１０、分離部１１、アライナ部１２、スキャナ部１３、エスクロ部１４、リトラクト部１５、スタッカ１６、１７のそれぞれについては、これらと同様に機能するものであれば、これらとは異なる機構のものを代わりに用いてもよい。
【００８３】
［４−５．他の実施の形態５］
さらに、上述した実施の形態では、第１のパターンの取込処理と第２のパターンの取込処理を選択できるようにしたが、これに限らず、例えば、取込処理を、第２のパターンに固定したり、第１のパターンに固定したりしてもよい。上述したリトラクト部１５が満杯の場合の取込処理についても同様に、第３のパターンに固定したり、第４のパターンに固定したり、第５のパターンに固定したりしてもよい。
【００８４】
［４−６．他の実施の形態６］
さらに、上述した各実施の形態では、本発明を、媒体から媒体に関する情報を取得する情報取得部としてのＣＩＳ部２０を備えた媒体処理装置としての小切手処理機１、５０に適用したが、これに限らず、媒体から媒体に関する情報を取得する情報取得部を備えた媒体処理装置であれば、小切手処理機１、５０とは異なる構成の媒体処理装置にも適用できる。例えば、小切手Ｃ以外の紙葉状の媒体（商品券やクーポン券、チケット、証明書など）から情報を取得する情報取得部を備えた媒体処理装置にも適用できる。
【００８５】
［４−７．他の実施の形態７］
さらに、上述した各実施の形態では、媒体が投入又は排出される入出部の具体例として、バンドル部１０及び分離部１１を用いたが、これに限らず、媒体を投入又排出できるものであれば、バンドル部１０及び分離部１１とは異なる構成の入出部を用いてもよい。さらに、上述した各実施の形態では、媒体を一時的に保留する一時保留部の具体例としてエスクロ部１４を用いたが、これに限らず、媒体を一時的に保留できるものであれば、エスクロ部１４とは異なる構成の一時保留部を用いてもよい。さらに、上述した各実施の形態では、媒体の搬送経路を切り替える切替部の具体例として、ブレード３０、３１、５１を用いたが、これに限らず、媒体の搬送経路を切り替えることができるものであれば、ブレード３０、３１、５１とは異なる構成の切替部を用いてもよい。
【００８６】
さらに、上述した各実施の形態では、利用者が取り忘れた媒体を収納する取り忘れ媒体収納部の具体例として、リトラクト部１５を用いたが、これに限らず、利用者が取り忘れた媒体を収納できるものであれば、リトラクト部１５とは異なる構成の取り忘れ媒体収納部を用いてもよい。さらに、上述した各実施の形態では、媒体から媒体に関する情報を取得する情報取得部の具体例として、画像取得部としてのＣＩＳ部２０と、ＭＩＣＲヘッド２１を用いたが、これに限らず、媒体から媒体に関する情報を取得できるものであれば、ＣＩＳ部２０やＭＩＣＲヘッド２１とは異なる構成の情報取得部を用いてもよい。例えば、ＣＩＳ部２０の代わりに、ＣＩＳ部２０とは異なる画像センサを用いたり、ＭＩＣＲヘッド２１の代わりに、ＭＩＣＲヘッド２１とは異なる磁気センサを用いてもよい。さらに、上述した各実施の形態では、取引可能な媒体を収納する媒体収納部の具体例としてスタッカ１６、１７を用いたが、これに限らず、取引可能な媒体を収納できるものであれば、スタッカ１６、１７とは異なる媒体収納部を用いてもよい。さらに、上述した各実施の形態では、媒体に印字する印字部の具体例として、プリンタ２３を用いたが、これに限らず、媒体に印字できるものであれば、プリンタ２３とは異なる構成の印字部を用いてもよい。
【００８７】
［４−８．他の実施の形態８］
さらに、本発明は、上述した各実施の形態に限定されるものではない。すなわち本発明は、上述した実施の形態と他の実施の形態の一部または全部を任意に組み合わせた実施の形態や、一部を抽出した実施の形態にもその適用範囲が及ぶものである。
【産業上の利用可能性】
【００８８】
本発明は、例えば利用者が取り忘れた媒体を内部に取り込んで収納する機能を備えた媒体処理装置で利用できる。
【符号の説明】
【００８９】
１、５０……小切手処理機、３……制御部、１０……バンドル部、１０Ａ……シャッタ、１０Ｂ……受渡口、１１……分離部、１２……アライナ部、１３……スキャナ部、１４……エスクロ部、１５……リトラクト部、１６、１７……スタッカ、２０……ＣＩＳ部、２１……ＭＩＣＲヘッド、２２……スタンプ、２３……プリンタ、３０、３１、５１……ブレード、Ｃ……小切手。
【図１】
2018195035.tif 000003
【図２】
2018195035.tif 000004
【図３】
2018195035.tif 000005
【図４】
2018195035.tif 000006
【図５】
2018195035.tif 000007
【図６】
2018195035.tif 000008
【図７】
2018195035.tif 000009